(57)【要約】      （修正有）【課題】寝具の一部として使用されるマットレスは、自然状態では大形状であって占有スペースが大きいとともに取り扱いがしにくいものであるが、コンパクトな形態のマットレス梱包体を提供する。【解決手段】自然状態で厚さ方向に弾性膨張するマットレスがその厚さ方向に圧縮されて薄マットレスとされ、該薄マットレスがその幅方向又は長さ方向の中心線付近で２つ折りされて２つ折りマットレスとされ、さらに該２つ折りマットレスがロール状に巻き取られた形態のロール状マットレス１を梱包材２内に梱包していることにより、コンパクトな形態のマットレス梱包体を提供できる。【選択図】図１
0003206408.tif 000002
【実用新案登録請求の範囲】
【請求項１】
自然状態で厚さ方向に弾性膨張するマットレス（１Ａ）がその厚さ方向に圧縮されて薄マットレス（１Ｂ）とされ、該薄マットレス（１Ｂ）がその幅方向又は長さ方向の中心線（Ｐ）付近で２つ折りされて２つ折りマットレス（１Ｃ）とされ、さらに該２つ折りマットレス（１Ｃ）がロール状に巻き取られた形態のロール状マットレス（１）を梱包材（２）内に梱包している、
ことを特徴とするマットレス梱包体。
【考案の詳細な説明】
【技術分野】
【０００１】
本考案は、ベッド枠体上に載せて寝具（ベッド）の一部として使用されるマットレスに関し、さらに詳しくはマットレスをコンパクトな形態で取り扱えるようにしたマットレス梱包体に関するものである。
【背景技術】
【０００２】
ベッド用のマットレスは各種のサイズがあるが、例えば夫婦と幼児の合計３人がいわゆる「川の字」状に寝られるようなキングサイズのマットレスは、幅１８０cm×長さ１９５cm×厚さ１５〜２０cm程度の非常に大きいもので、しかも内部に多数個のスプリングを収容している関係で、外形の形状がしっかりしたものとなっている。
【０００３】
そして、従来では、この種のマットレスは、倉庫での保管時や、輸送機器による運搬時や、家屋の部屋（寝室）への搬入時等には、原形の形状（使用形態の大形状）のままで取り扱われている。
【０００４】
従って、従来の大サイズ（例えばキングサイズ以上の大きさ）のマットレスでは、次のような問題点があった。
【０００５】
(ａ)  製造後のマットレスは、原形の形状（大形状）を維持したままであるので、倉庫での保管時あるいは輸送機器による運搬時等にはマットレスの占有スペースが大きくなり、保管コストや運搬コストが高くつく。
【０００６】
(ｂ)  マットレスが大形状であるので、輸送機器への荷上げ・荷下ろし時の取り扱い（作業）がしにくい。
【０００７】
(ｃ)  マットレスが大形状（例えばキングサイズ以上の大きさ）であると、家屋の部屋（寝室）への搬入経路に狭い場所（例えば狭いエレベーター室や狭い階段）がある場合には、部屋への搬入ができないことがある。
【０００８】
ところで、一体物で大形状（例えばキングサイズ以上）のマットレスを部屋（寝室）まで搬入できない場合であってキングサイズ程度以上のベッドスペースを必要とする場合には、従来では、搬入が比較的容易な小サイズ（例えば幅９７cm×長さ１９５cm程度のシングルサイズ）のベッドを２台並置して、キングサイズ程度以上に見合う大面積のベッドスペースを確保するようにしている。
【０００９】
ところが、このように小サイズのベッドを２台並置するものでは、各ベッド部品（ベッド枠体＋マットレス）がそれぞれ小サイズ（シングルサイズ）であるので部屋への搬入は比較的容易であるが、２つのベッド（両マットレス）を並置したものでは、マットレス外周部分の補強ワイヤーが両マットレスの接合部分に位置するので、該両マットレスの接合部分には補強ワイヤーによる凹凸感やゴワゴワ感があって寝心地が悪くなる。
【００１０】
そこで、２台のベッド（両マットレス）を並置して大面積のベッドスペースを確保するものでは、両マットレスの接合部分に被覆パッド（近年では隙間パッドと称されるものが普及している）を被せて寝心地が悪くならないようにしているが、該両マットレス接合部に被覆パッドを被せたものでは、該被覆パッドが余分に必要となるとともに、被覆パッドを被せても違和感が残るという問題がある。
【００１１】
尚、マットレスの中には、そのマットレスの長さ方向を複数に分割（例えば３分割）してその各パーツを折畳み自在に連結した折畳み式マットレスがあるが、この折畳み式マットレスを折畳んだ状態では、一方向（平面視）から見た面積は小さくなるものの全体の体積が小さくなるものではないので、保管時・輸送時・部屋への搬入時等における取り扱いが容易になるとは限らない。
【考案の概要】
【考案が解決しようとする課題】
【００１２】
そこで、本考案は、使用状態において適宜の厚さがあり（例えば１５〜２０cm厚さ）且つ使用目的に応じた大形状（例えばキングサイズ程度以上の大きさ）のマットレスであっても、保管時や運搬時の占有スペースを小さくできる一方、室内搬入時の取り扱いが簡便となるコンパクトな形態で梱包材内に梱包したマットレス梱包体を提供することを目的としたものである。
【課題を解決するための手段】
【００１３】
本考案は、上記課題を解決するための手段として次の構成を有している。尚、本考案は、マットレスを梱包材内に梱包してなるマットレス梱包体を対象としている。
【００１４】
そして、本考案のマットレス梱包体は、図１〜図４に例示するように、自然状態で厚さ方向に弾性膨張するマットレス１Ａ（図４（Ａ）参照）がその厚さ方向に圧縮されて薄マットレス１Ｂ（図４（Ｂ）参照）とされ、該薄マットレス１Ｂがその幅方向又は長さ方向の中心線Ｐ（図４（Ｃ）参照）付近で２つ折りされて２つ折りマットレス１Ｃ（図４（Ｄ）参照）とされ、さらに該２つ折りマットレス１Ｃがロール状に巻き取られた形態のロール状マットレス１（図４（Ｅ）参照）を梱包材２（図１〜図３参照）内に梱包していることを特徴とするものである。
【００１５】
尚、図４（Ａ）に示す自然状態（大面積で厚手）のマットレス１Ａから図４（Ｅ）に示すロール状マットレス１への成形方法については、後述の実施例の項で詳しく説明するが、ロール状マットレス１の形態では、原形がキングサイズの大きさであっても、例えば外径（直径）が４０cm程度で長さ（高さ）が１００cm程度の大きさまで縮小させることができる。
【００１６】
本願で梱包対象となるマットレスは、シングルサイズ（幅９７cm×長さ１９５cm）程度の比較的小面積のものも適用可能であるが、キングサイズ（幅１８０cm×長さ１９５cm）以上の大面積のものに適用すると一層利用価値が高くなる。即ち、キングサイズのマットレスは、自然状態では大形状（幅１８０cm×長さ１９５cm×厚さ１５〜２０cm程度の大きさ）を有した保形性のある形態であって、そのままでは上記「背景技術」の項で説明したように、倉庫での保管時や輸送機器による運搬時や部屋（寝室）への搬入時等に各種の問題点があった。
【００１７】
そこで、本考案のマットレス梱包体では、自然状態で大形状（例えばキングサイズ）のマットレス１Ａを、厚さ方向に圧縮し、その薄マットレス１Ｂを２つ折りし、その２つ折りマットレス１Ｃをロール状に巻き取って小形のロール状マットレス１とした状態で梱包材（例えばダンボール箱）２内に梱包していることにより、マットレス入りの梱包体（本願のマットレス梱包体Ｚ）を図１に示すようなコンパクトな形状（外形が４０cm強×４０cm強×１００cm強程度の大きさ）に成形することができる。
【００１８】
そして、図１のマットレス梱包体Ｚは、そのコンパクトな形状のままで、倉庫に保管したり、運搬機器で運搬したり、ベッド設置場所（寝室）に搬入したりできる。又、該マットレス梱包体Ｚのマットレスを使用形態にするには、マットレス梱包体Ｚのままでベッド設置場所（寝室）に搬入した後、梱包材２からロール状マットレス１を取り出し、図４（Ｅ）の巻き取り状態を解除し、図４（Ｄ）の２つ折り状態を解除し、図４（Ｂ）の圧縮状態を解除することで、図４（Ａ）の大面積且つ厚手の形態（使用時の形態）のマットレス１Ａに戻すことができる。
【考案の効果】
【００１９】
本考案のマットレス梱包体は、上記のように自然状態において大形状（大面積且つ厚手）のマットレス１Ａを、厚さ方向に圧縮し、その圧縮した薄マットレス１Ｂを２つ折りし、その２つ折りした２つ折りマットレス１Ｃをロール状に巻き取ってロール状マットレス１とした形態で、梱包材２内に梱包したものである。
【００２０】
このように、自然状態において大形状のマットレス１Ａを圧縮→２つ折り→巻き取りの各加工をしたロール状マットレス１では外形が非常に小形となり、その小形のロール状マットレス１を梱包材２内に梱包しているので、マットレス梱包体Ｚ全体が非常にコンパクトになる。
【００２１】
従って、本考案のマットレス梱包体Ｚでは、次のような効果がある。
【００２２】
(１)  自然状態でのマットレス１Ａが大形状であってもマットレス梱包状態では非常に小形であるので、倉庫での保管時あるいは輸送機器による運搬時等にマットレス梱包体Ｚによる占有スペースが小さくなり、保管コストや運搬コストを低減できる。
【００２３】
(２)  マットレス梱包体Ｚが小形であるので、輸送機器への荷上げ・荷下ろし時の取り扱い（作業）が容易となる。
【００２４】
(３)  マットレス梱包体Ｚが小形であると、家屋の部屋（寝室）への搬入経路に狭い場所（例えば狭いエレベーター室や狭い階段）がある場合でも、部屋への搬入が容易に行えるとともに、通常では一体物の大形状マットレスを寝室まで搬入できない場合でも、一体物の大形状マットレスのままで使用できる。
【図面の簡単な説明】
【００２５】
【図１】本願実施例のマットレス梱包体の斜視図である。
【図２】図１のマットレス梱包体のII−II拡大断面図である。
【図３】図１のマットレス梱包体のIII−III拡大断面図である。
【図４】図１〜図３のマットレス梱包体におけるロール状マットレスの成形過程説明図である。
【考案を実施するための形態】
【００２６】
以下、図１〜図４を参照して本願実施例のマットレス梱包体を説明すると、この実施例のマットレス梱包体Ｚは、自然状態で大形状（大面積で厚手）のマットレス１Ａ（図４（Ａ）の状態）を小形のロール状マットレス１（図４（Ｅ）の状態）の形態にしている一方、そのロール状マットレス１をロール状に巻き取った形態のままで梱包材２内に梱包したものである。
【００２７】
ところで、例えば夫婦と幼児の合計３人がいわゆる「川の字」状に寝られるようなキングサイズのマットレスでは、幅１８０cm×長さ１９５cm×厚さ１５〜２０cm程度の非常に大きいもので、しかも内部に多数個のスプリングを収容している関係で、自然状態では外形の形状がしっかりしたものとなっている。そして、このような大サイズ（例えばキングサイズ）のマットレスでは、自然状態で大形状の形態を維持しているので、倉庫での保管時や輸送機器による運搬時にはマットレスによる占有スペースが大きいことによる問題（保管コストや運搬コストが高くなる）や、家屋の部屋（寝室）への搬入時には通路が狭いと搬入できない（一体物の大形状マットレスが使用できない）という問題があった。
【００２８】
そこで、本願では、自然状態で大形状のマットレスであっても、コンパクトな形態で梱包したマットレス梱包体を提供しようとするものである。
【００２９】
本願で採用されるマットレスとしては、シングルサイズ（幅９７cm×長さ１９５cm）程度の比較的小面積のものも適用可能であるが、キングサイズ（幅１８０cm×長さ１９５cm）以上の大面積のものに適用すると一層利用価値が高くなる。即ち、キングサイズのようなマットレスでは、自然状態のままでは大形状（幅１８０cm×長さ１９５cm×厚さ１５〜２０cm）であるために、上記「背景技術」の項でも説明したように、占有スペースが大きくなるとともに、取り扱いがしにくくなるが、このような大形状のマットレスでも、本考案を適用することで自然状態（大形状の形態）での難点を改善できる。
【００３０】
図１〜図３に示す実施例のマットレス梱包体Ｚは、小形に縮小させたロール状マットレス１の形態で梱包材（ダンボール箱）２内に梱包したものであるが、このロール状マットレス１は、以下に説明する図４（Ａ）〜（Ｅ）の各工程を経て成形される。
【００３１】
この実施例で採用されているマットレス１Ａ（図４（Ａ）参照）は、自然状態でキングサイズよりやや大きい幅１９５cm×長さ１９５cm×厚さ２０cm程度の大形状のものである。尚、本願で採用するマットレス１Ａの大きさは、特に限定するものではなく、例えばシングルサイズ程度のものも採用できる。又、この種のマットレス１Ａは、内部に多数個のスプリングが収容されていて、自然状態では使用形態まで弾性膨張している。
【００３２】
図４（Ｅ）に示すロール状マットレスへの成形工程は、以下の通りである。
【００３３】
まず、第１工程として、図４（Ａ）に示すように、自然状態（大面積で厚手）のマットレス１Ａ全体を破耐強度のあるビニール袋３で包み込んで、袋入りマットレス１０Ａとする。ビニール袋３は、マットレス１Ａの外形より僅かに大きい程度の容積で、一辺側に開口３１を有したものである。
【００３４】
次に、第２工程として、図４（Ａ）の袋入りマットレス１０Ａを図４（Ｂ）に示すように、プレス機（図示省略）により厚さ方向に圧縮して、全面積に亘って所定薄さ（例えば２〜３cm厚さ）の袋入り薄マットレス１０Ｂとする。この圧縮工程では、マットレスが厚さの薄い薄マットレス１Ｂの状態となるとともに、ビニール袋３内の空気が開口から排出されて該ビニール袋３の上面部及び下面部が薄マットレス１Ｂの上・下面に接触している。尚、この圧縮工程に併用してビニール袋３内を空気を真空吸引してもよい。
【００３５】
次に、第３工程として、図４（Ｂ）の袋入り薄マットレス１０Ｂを圧縮状態に維持したままで、図４（Ｃ）に示すようにビニール袋３の開口縁部を熱シール３３する（封入薄マットレス１０Ｃとなる）。この図４（Ｃ）に示す封入薄マットレス１０Ｃの状態では、開口縁部の熱シール３３によりビニール袋３内が密封されていて、内部の薄マットレス１Ｂが弾性膨張できない状態に維持されている。
【００３６】
次に、第４工程として、図４（Ｃ）の封入薄マットレス１０Ｃをその幅方向の中心線Ｐ（又は長さ方向の中心線でもよい）付近で２つ折りして、図４（Ｄ）に示す封入２つ折りマットレス１０Ｄとする。この封入２つ折りマットレス１０Ｄの状態では、２つ折りマットレス１Ｃの両折り重ね部分１ａ，１ｂを接近（又は接触）させて全体厚さが薄くなる（例えば４〜６cm程度の厚さになる）ようにしている。
【００３７】
次に、第５工程として、図４（Ｄ）の封入２つ折りマットレス１０Ｄをその一端側（図４（Ｄ）の下端側）からロール状に巻き取って、図４（Ｅ）に示す封入ロール状マットレス１０Ｅとする。そして、ロール状に巻き取った後、必要に応じて封入ロール状マットレス１０Ｅの外周を固縛紐４，４で固縛しておけば、不用意にロール形態が解除されることがない。このロール形態維持のための手段としては、上記固縛紐４でロール全周を縛るものに替えて、例えばロールの巻き終わり端部をロール外周面に接着テープで接着保持させるものでもよい。尚、この封入ロール状マットレス１０Ｅは、ロール状マットレス１をビニール袋３ごとロール状に巻き取ったものであるが、図４（Ｅ）の表示では、ビニール袋の記載を省略している。
【００３８】
図４（Ｅ）の封入ロール状マットレス１０Ｅの大きさは、その直径が４０cm程度で軸線方向の長さが１００cm程度のかなり小形となっている。そして、図４（Ｅ）の封入ロール状マットレス１０Ｅは、図１〜図３に示すようにロール状のままで梱包材（ダンボール箱）２内に梱包してマットレス梱包体Ｚの形態とされる。尚、梱包材２は封入ロール状マットレス１０Ｅの外形よりやや大きい程度の容積があればよいので、マットレス梱包体Ｚ全体として図１に示すようなコンパクトな形状（外形が４０cm強×４０cm強×１００cm強程度の大きさ）に成形することができる。
【００３９】
この実施例（図１）のマットレス梱包体Ｚは、封入ロール状マットレス１０Ｅを梱包材２内に梱包したコンパクトな形状のままで維持させることができるので、次のような機能を有している。即ち、マットレス梱包体Ｚが小形（コンパクトな形態）であるので、倉庫での保管時あるいは輸送機器による運搬時等にマットレス梱包体Ｚの占有スペースが小さくて済み（保管コストや運搬コストを低減できる）、又、輸送機器への荷上げ・荷下ろし時の取り扱いが容易となり、さらに家屋の部屋（寝室）への搬入経路に狭い場所（例えば狭いエレベーター室や狭い階段）がある場合でも、部屋への搬入が容易に行える、という機能を達成できる。
【００４０】
マットレス梱包体Ｚに梱包されているマットレスを使用形態にするには、マットレス梱包体Ｚのままでベッド設置場所（寝室）に搬入した後、梱包材２から封入ロール状マットレス１０Ｅを取り出して、図４（Ｅ）の巻き取り状態を解除し、図４（Ｄ）の２つ折り状態を解除して図４（Ｃ）の展張状態とし、図４（Ｂ）の圧縮状態を解除する（ビニール袋３を除去する）ことで、図４（Ａ）の大面積且つ厚手の形態（使用時の形態）に戻すことができる。
【００４１】
尚、本願の実用新案登録請求の範囲において、マットレス１Ａ、薄マットレス１Ｂ、２つ折りマットレス１Ｃ、及びロール状マットレス１は、それぞれ本願実施例における袋入りマットレス１０Ａ、袋入り薄マットレス１０Ｂ、封入２つ折りマットレス１０Ｄ、及び封入ロール状マットレス１０Ｅに相当するものである。
【符号の説明】
【００４２】
１はロール状マットレス、１Ａは自然状態のマットレス、１Ｂは薄マットレス、１Ｃは２つ折りマットレス、２は梱包材、３はビニール袋、１０Ａは袋入りマットレス（請求範囲中のマットレス１Ａに相当する）、１０Ｂは袋入り薄マットレス（請求範囲中の薄マッレス１Ｂに相当する）、１０Ｃは封入薄マットレス、１０Ｄは封入２つ折りマットレス（請求範囲中の２つ折りマットレス１Ｃに相当する）、１０Ｅは封入ロール状マットレス（請求範囲中のロール状マットレス１に相当する）、Ｚはマットレス梱包体である。
【図１】
0003206408.tif 000003
【図２】
0003206408.tif 000004
【図３】
0003206408.tif 000005
【図４】
0003206408.tif 000006